(57)【要約】【課題】光信号間での干渉が生じない範囲で光信号の高密度化を図ることが可能な波長多重光伝送システムを提供する。【解決手段】互いに波長の異なる複数の光信号を多重化して波長多重光を生成して送信する送信局と、送信局からの波長多重光を伝送路を介して受信する受信局と、を含む波長多重光伝送システムであって、送信局は、複数の光信号の波長の間隔を変更していく変更手段と、波長の間隔が変更されていく複数の光信号を多重化して波長多重光を生成して送信する送信手段と、を含み、受信局は、送信された波長多重光を伝送路を介して受信する受信手段と、波長多重光内の光信号間の干渉の度合いが閾値を超えたか否かの検出を行い、複数の光信号間の波長の間隔を、変更されていった波長の間隔のうち、検出の結果が変化したときに変更手段が設定していた波長の間隔に設定する設定手段と、を含む。【選択図】図１
2012023607.tif 000002
【特許請求の範囲】
【請求項１】
互いに波長の異なる複数の光信号を多重化して波長多重光を生成し当該波長多重光を送信する送信局と、前記送信局から送信された波長多重光を伝送路を介して受信する受信局と、を含む波長多重光伝送システムであって、
前記送信局は、
前記複数の光信号の波長の間隔を変更していく変更手段と、
前記変更手段にて前記波長の間隔が変更されていく複数の光信号を多重化して前記波長多重光を生成し当該波長多重光を送信する送信手段と、を含み、
前記受信局は、
前記送信手段から送信された波長多重光を前記伝送路を介して受信する受信手段と、
前記受信手段にて受信された波長多重光内の光信号間の干渉の度合いが予め定められた閾値を超えたか否かの検出を行い、前記複数の光信号間の波長の間隔を、前記変更手段にて変更されていった波長の間隔のうち、前記検出の結果が変化したときに前記変更手段が設定していた波長の間隔に設定する設定手段と、を含む、波長多重光伝送システム。
【請求項２】
請求項１に記載の波長多重光伝送システムにおいて、
前記設定手段は、前記受信手段にて受信された波長多重光に含まれる光信号ごとの伝送エラーレートを、前記干渉の度合いとして検出し、前記光信号ごとの伝送エラーレートが高いほど前記干渉の度合いが高いと判定する、波長多重光伝送システム。
【請求項３】
請求項１に記載の波長多重光伝送システムにおいて、
前記設定手段は、前記受信手段にて受信された波長多重光のスペクトルの間隔を、前記干渉の度合いとして検出し、前記スペクトルの間隔が狭いほど前記干渉の度合いが高いと判定する、波長多重光伝送システム。
【請求項４】
互いに波長の異なる複数の光信号を多重化して波長多重光を生成し当該波長多重光を送信する送信局と、前記送信局から送信された波長多重光を伝送路を介して受信する受信局と、を含む波長多重光伝送システムでの波長間隔設定方法であって、
前記送信局が、前記複数の光信号の波長の間隔を変更していく変更ステップと、
前記送信局が、前記波長の間隔が変更されていく複数の光信号を多重化して前記波長多重光を生成し当該波長多重光を送信する送信ステップと、
前記受信局が、前記波長多重光を前記伝送路を介して受信する受信ステップと、
前記受信局が、前記受信された波長多重光内の光信号間の干渉の度合いが予め定められた閾値を超えたか否かの検出を行い、前記複数の光信号間の波長の間隔を、前記変更されていった波長の間隔のうち、前記検出の結果が変化したときに設定されていた波長の間隔に設定する設定ステップと、を含む波長間隔設定方法。
【請求項５】
請求項４に記載の波長間隔設定方法において、
前記設定ステップでは、前記波長多重光に含まれる光信号ごとの伝送エラーレートを、前記干渉の度合いとして検出し、前記光信号ごとの伝送エラーレートが高いほど前記干渉の度合いが高いと判定する、波長間隔設定方法。
【請求項６】
請求項４に記載の波長間隔設定方法において、
前記設定ステップでは、前記波長多重光のスペクトルの間隔を、前記干渉の度合いとして検出し、前記スペクトルの間隔が狭いほど前記干渉の度合いが高いと判定する、波長間隔設定方法。
【発明の詳細な説明】
【技術分野】
【０００１】
本発明は、波長多重光伝送システムおよび波長間隔設定方法に関する。
【背景技術】
【０００２】
ＷＤＭ（Wavelength Division Multiplexing：波長多重）は、互いに波長の違う複数の光信号が多重された波長多重光を光ファイバを用いて伝送することにより、伝送容量を増やす技術である。
【０００３】
ＷＤＭ伝送方式は、他の伝送方式に比較して伝送容量の大容量化を低コストで実現できる。このため、ＷＤＭ伝送方式は、大都市間のバックボーン伝送あるいは大都市圏内のメトロネットワークに用いられることが多い。
【０００４】
図６は、関連技術のＷＤＭ伝送システムを示した図である。図６において、ＷＤＭ伝送システムは、送信局１ａと、受信局２ａと、光ファイバ３ａと、を含む。送信局１ａは、ｎ（ｎは２以上の整数）個の光送信部１ａ１と、光合波部１ａ２と、光増幅部１ａ３と、を含む。受信局２ａは、光増幅部２ａ１と、光分波部２ａ２と、ｎ個の光受信部２ａ３と、を含む。
【０００５】
ｎ個の光送信部１ａ１は、それぞれ、所定の波長の光信号を送信する。なお、ｎ個の光送信部１ａ１からそれぞれ送信される光信号は、互いに波長が異なる。
【０００６】
光合波部１ａ２は、例えば、ＡＷＧ（Arrayed Waveguide Grating；アレイ導波路回折格子）または光学薄膜フィルタであり、透過波長が固定されたフィルタである。ｎ個の光送信部１ａ１から送信される光信号の波長（λ１〜λｎ）は、光合波部１ａ２を透過する光信号の波長に設定されている。光合波部１ａ２は、ｎ個の光送信部１ａ１から送信された光信号を合波して波長多重光を生成する。
【０００７】
光増幅部１ａ３は、光合波部１ａ２にて生成された波長多重光を増幅する。光増幅部１ａ３にて増幅された波長多重光は、光ファイバ３ａを通って受信局２ａにて受信される。
【０００８】
受信局２ａでは、光増幅部２ａ１は、光ファイバ３ａから受信した波長多重光を増幅する。光分波部２ａ２は、ＡＷＧまたは光学薄膜フィルタであり、透過波長が固定されたフィルタである。光分波部２ａ２は、光増幅部２ａ１にて増幅された波長多重光に含まれる各波長の光信号を分波する。ｎ個の光受信部２ａ３は、それぞれ、互いに異なる波長（λ１〜λｎ）の光信号を受信する。
【０００９】
特許文献１および２には、ＷＤＭ伝送方式を採用した波長多重光伝送システムが記載されている。
【００１０】
特許文献１に記載の波長多重光伝送システムは、波長多重光を生成する波長多重光送信器と、波長多重光送信器にて生成された波長多重光を伝送する光ファイバと、光ファイバを通じて波長多重光を受信する波長多重光受信器と、を有する。
【００１１】
特許文献１に記載の波長多重光伝送システムでは、波長多重光受信器が、波長多重光のＢＥＲ（Bit Error Rate；ビット誤り率）を監視し、その監視結果に基づいて、４光波混合を避けるための波長調整信号を生成する。波長多重光受信器は、その波長調整信号を波長多重光送信器に出力する。波長多重光送信器は、多重化される前の複数の光信号の波長を、波長調整信号に従ったずれ量だけ一括して均等にずらすことによって、４光波混合を回避する。
【００１２】
したがって、特許文献１に記載の波長多重光伝送システムでは、複数の光信号の波長のそれぞれの間隔が維持されながら、複数の光信号の波長が均等にずらされる。
【００１３】
特許文献２に記載の波長多重光伝送システムは、波長多重光を生成する送信局と、送信局にて生成された波長多重光を伝送する伝送路と、伝送路を通じて波長多重光を受信し波長多重光に含まれる各光信号を受信する受信局と、を有する。
【００１４】
特許文献２に記載の波長多重光伝送システムでは、送信局は、多重化される複数の光信号の送信電力を変更していく。受信局は、送信電力が変更されていく光信号のそれぞれについて伝送エラーを検出する。受信局は、伝送エラーを集計し、その集計結果を送信局に出力する。送信局は、４光波混合を避けるために、多重化される前の複数の光信号の送信電力を伝送エラーの集計結果に従って設定する。
【００１５】
したがって、特許文献２に記載の波長多重光伝送システムでは、複数の光信号の波長のそれぞれが維持されながら、複数の光信号の送信電力が変更される。
【先行技術文献】
【特許文献】
【００１６】
【特許文献１】特開２０００−１５１５１０号公報
【特許文献２】特開２００８−２４５１６２号公報
【発明の概要】
【発明が解決しようとする課題】
【００１７】
近年、伝送容量を増大するためにＷＤＭ伝送方式での波長多重数を増やすという要求がますます大きくなってきている。
【００１８】
波長多重数を増やすための１つの手法として、ＷＤＭ伝送での波長帯域を広げることが考えられる。しかしながら、ＷＤＭ伝送での波長帯域を広げることは、現在広く普及しているエルビウム添加ファイバ光増幅器では限界がある。また、理論上波長帯域に制限の無いラマン増幅器などではコストが高いという問題がある。
【００１９】
このため、波長多重数を増やすためには、光信号の波長間隔を狭めて光信号の高密度化を図ることが現実的となる。
【００２０】
ここで、光信号の高密度化を図る際の問題は、光信号のビットレート（周波数）が高くなるにつれて、キャリアの光スペクトル幅が拡大することである。
【００２１】
図７は、光信号のビットレート（周波数）と、キャリアの光スペクトル幅と、光信号間の干渉と、の関係を示した図である。
【００２２】
図７（ａ）は、光信号のビットレート（周波数）が低くキャリアの光スペクトル幅が狭いため、光信号間で干渉が生じていない例を示している。
【００２３】
図７（ｂ）は、光信号のビットレート（周波数）が図７（ａ）の場合よりも高くなりキャリアの光スペクトル幅が広がったため、光信号間で干渉が生じた例を示している。
【００２４】
図７（ｃ）は、図７（ｂ）の場合での干渉を回避するために、光信号の波長間隔を図７（ｂ）の場合よりも広げた例を示している。
【００２５】
実際のＷＤＭ伝送においては、様々なビットレートの信号が混在することもある。このため、光信号間での干渉が生じない範囲で光信号の高密度化を図るための波長間隔は、実際のＷＤＭ伝送ごとに異なる可能性が高い。
【００２６】
したがって、実際のＷＤＭ伝送において、光信号間での干渉が生じない範囲で光信号の高密度化を図るという課題があった。
【００２７】
なお、特許文献１に記載の波長多重光伝送システムおよび特許文献２に記載の波長多重光伝送システムでは、光信号の波長間隔が維持される。このため、特許文献１に記載の波長多重光伝送システムおよび特許文献２に記載の波長多重光伝送システムでは、光信号間での干渉が生じない範囲で光信号の高密度化を図るという課題は解決されていない。
【００２８】
本発明の目的は、上述した課題を解決可能な波長多重光伝送システムおよび波長間隔設定方法を提供することにある。
【課題を解決するための手段】
【００２９】
本発明の波長多重光伝送システムは、互いに波長の異なる複数の光信号を多重化して波長多重光を生成し当該波長多重光を送信する送信局と、前記送信局から送信された波長多重光を伝送路を介して受信する受信局と、を含む波長多重光伝送システムであって、前記送信局は、前記複数の光信号の波長の間隔を変更していく変更手段と、前記変更手段にて前記波長が変更されていく複数の光信号を多重化して前記波長多重光を生成し当該波長多重光を送信する送信手段と、を含み、前記受信局は、前記送信手段から送信された波長多重光を前記伝送路を介して受信する受信手段と、前記受信手段にて受信された波長多重光内の光信号間の干渉の度合いが予め定められた閾値を超えたか否かの検出を行い、前記複数の光信号間の波長の間隔を、前記変更手段にて変更されていった波長の間隔のうち、前記検出の結果が変化したときに前記変更手段が設定していた波長の間隔に設定する設定手段と、を含む。
【００３０】
本発明の波長間隔設定方法は、互いに波長の異なる複数の光信号を多重化して波長多重光を生成し当該波長多重光を送信する送信局と、前記送信局から送信された波長多重光を伝送路を介して受信する受信局と、を含む波長多重光伝送システムでの波長間隔設定方法であって、前記送信局が、前記複数の光信号の波長の間隔を変更していく変更ステップと、前記送信局が、前記波長の間隔が変更されていく複数の光信号を多重化して前記波長多重光を生成し当該波長多重光を送信する送信ステップと、前記受信局が、前記波長多重光を前記伝送路を介して受信する受信ステップと、前記受信局が、前記受信された波長多重光内の光信号間の干渉の度合いが予め定められた閾値を超えたか否かの検出を行い、前記複数の光信号間の波長の間隔を、前記変更されていった波長の間隔のうち、前記検出の結果が変化したときに設定されていた波長の間隔に設定する設定ステップと、を含む。
【発明の効果】
【００３１】
本発明によれば、波長多重光伝送システムにおいて、光信号間での干渉が生じない範囲で光信号の高密度化を図ることが可能になる。
【図面の簡単な説明】
【００３２】
【図１】本発明の第１実施形態の波長多重光伝送システムを示したブロック図である。
【図２】本実施形態を用いて波長間隔が設定された例を示した図である。
【図３】本発明の第２実施形態の波長多重光伝送システムを示したブロック図である。
【図４】本発明の第３実施形態の波長多重光伝送システムを示したブロック図である。
【図５】本発明の第４実施形態の波長多重光伝送システムを示したブロック図である。
【図６】関連技術のＷＤＭ伝送システムを示した図である。
【図７】光信号のビットレート（周波数）と、キャリアの光スペクトル幅と、光信号間の干渉と、の関係を示した図である。
【発明を実施するための形態】
【００３３】
次に、本発明の実施形態を図面を参照して説明する。
【００３４】
（第１実施形態）
図１は、本発明の第１実施形態の波長多重光伝送システムを示したブロック図である。
【００３５】
図１において、波長多重光伝送システムは、送信局１と、受信局２と、光ファイバ３と、を含む。光ファイバ３は、一般的に伝送路と呼ぶことができる。
【００３６】
送信局１は、互いに波長の異なる複数の光信号を多重化して波長多重光を生成し、その波長多重光を送信する。受信局２は、送信局１から送信された波長多重光を、光ファイバ３を介して受信する。
【００３７】
送信局１は、送信部１１と、送信波長調整部１２と、を含む。
【００３８】
送信部１１は、一般的に送信手段と呼ぶことができる。送信部１１は、互いに波長の異なるｎ（ｎは２以上の整数）個の光信号を出力し、そのｎ個の光信号を多重化して波長多重光を生成し、その波長多重光を送信する。
【００３９】
送信波長調整部１２は、一般的に変更手段と呼ぶことができる。送信波長調整部１２は、送信部１１が出力するｎ個の光信号の波長の間隔を変更していく。よって、送信部１１は、送信波長調整部１２にて波長の間隔が変更されていく複数の光信号を多重化して波長多重光を生成し、その波長多重光を送信する。
【００４０】
なお、送信波長調整部１２は、２つの光信号間の波長の間隔のみを変更していく動作を、光信号の組合せを変えながら行ってもよいし、２つ以上の光信号間の波長の間隔を変更していく動作を行ってもよい。
【００４１】
送信部１１は、光送信部１１ａ１〜１１ａｎと、光合波部１１ｂと、光増幅部１１ｃと、を含む。
【００４２】
光送信部１１ａ１〜１１ａｎは、それぞれ、送信波長調整部１２にて指定された波長の光信号を送信する。なお、光送信部１１ａ１〜１１ａｎから送信される光信号の波長（λ１〜λｎ）は、互いに異なる。
【００４３】
本実施形態では、光送信部１１ａ１〜１１ａｎにて構成される出力部は、互いに異なる波長を有するｎ個のキャリア（光信号）に送信用の信号（データ）を乗せたｎ個の光信号を出力する。また、送信波長調整部１２は、光送信部１１ａ１〜１１ａｎのそれぞれのキャリア（光信号）の波長を調整し、また、光送信部１１ａ１〜１１ａｎのそれぞれのキャリア（光信号）の波長の調整内容（λ１〜λｎ）を示す送信波長情報を、受信局２に出力する。
【００４４】
光合波部１１ｂは、光送信部１１ａ１〜１１ａｎからのｎ個の光信号を合波して波長多重光を生成する。光合波部１１ｂとしては、光スターカプラ等の波長選択性のないデバイスが使用される。
【００４５】
光増幅部１１ｃは、光合波部１１ｂにて生成された波長多重光を一括増幅する。
【００４６】
受信局２は、光増幅部２１と、設定部２２と、を含む。
【００４７】
光増幅部２１は、一般的に受信手段と呼ぶことができる。光増幅部２１は、送信部１１から送信された波長多重光を、光ファイバ３を介して受信し、その波長多重光を一括増幅する。
【００４８】
設定部２２は、一般的に設定手段と呼ぶことができる。
【００４９】
設定部２２は、光増幅部２１にて受信された波長多重光に含まれる光信号間の干渉の度合いが、予め定められた閾値を超えたか否かの検出を行う。設定部２２は、光送信部１１ａ１〜１１ａｎからのｎ個の光信号の波長の間隔を、送信波長調整部１２にて変更されていった波長の間隔のうち、検出の結果が変化したときに送信波長調整部１２が設定していた波長の間隔に設定する。
【００５０】
本実施形態では、設定部２２は、光増幅部２１にて受信された波長多重光に含まれる光信号ごとの伝送エラーレートを、干渉の度合いとして検出し、また、光信号ごとの伝送エラーレートが高いほど、干渉の度合いが高いと判定する。なお、送信波長調整部１２が、２つの光信号間の波長の間隔のみを変更していく動作を、光信号の組合せを変えながら行っていく場合、設定部２２は、光信号の組合せごとに、光信号の波長の間隔を設定していく。
【００５１】
設定部２２は、光分波部２２ａと、受信波長調整部２２ｂと、可変波長フィルタ２２ｃ１〜２２ｃｎと、光受信部２２ｄ１〜２２ｄｎと、受信エラー判定部２２ｅと、を含む。
【００５２】
光分波部２２ａは、光増幅部２１の出力をｎ個に分岐する。光分波部２２ａとしては、光スターカプラ等の波長選択性のないデバイスが使用される。
【００５３】
受信波長調整部２２ｂは、送信波長調整部１２から出力された送信波長情報を受信し、その送信波長情報に基づいて、可変波長フィルタ２２ｃ１〜２２ｃｎの透過波長領域を設定する。本実施形態では、受信波長調整部２２ｂは、可変波長フィルタ２２ｃ１〜２２ｃｎの透過波長領域の中心を、それぞれ、送信波長情報に示された波長λ１、λ２、・・・λｎに設定する。
【００５４】
可変波長フィルタ２２ｃ１〜２２ｃｎは、それぞれ、光分波部２２ａにて分岐された後の波長多重光から、自己に設定された透過波長領域の光波長を選択的に透過する。
【００５５】
光受信部２２ｄ１〜２２ｄｎは、可変波長フィルタ２２ｃ１〜２２ｃｎと１対１で対応する。光受信部２２ｄ１〜２２ｄｎは、それぞれ、自己に対応する可変波長フィルタ２２ｃを透過した光信号を受信し、その光信号の受信エラーレートを検出する。
【００５６】
受信エラーレートの検出手法としては、例えば、光受信部２２ｄ１〜２２ｄｎが、予めデータ内容が判明している標本データを受信し、その標本と受信された光信号との差異から受信エラーレートを検出してもよいし、光信号にＣＲＣ（Cyclic Redundancy Check：巡回冗長検査）等の符号をデータが付され、光受信部２２ｄ１〜２２ｄｎが、ＣＲＣを用いて受信エラーレートを検出してもよい。
【００５７】
なお、受信エラーレートは、波長が隣接する光信号の干渉などに起因して増加する。
【００５８】
受信エラー判定部２２ｅは、光受信部２２ｄ１〜２２ｄｎが検出した受信エラーレートを集計する。受信エラー判定部２２ｅには、波長ごとに、予め要求される伝送品質を基に決められた閾値が設定されている。
【００５９】
受信エラー判定部２２ｅは、受信エラーレートが閾値を越えたか否かの検出を行う。
【００６０】
受信エラー判定部２２ｅは、検出の結果が変化すると、受信波長調整部２２ｂおよび送信波長調整部１２に、波長調整を停止する旨の停止信号を出力する。受信波長調整部２２ｂおよび送信波長調整部１２は、停止信号を受信すると、それぞれ、光送信部１１ａ１〜１１ａｎに対する光信号の波長調整と、可変波長フィルタ２２ｃ１〜２２ｃｎに対する透過領域の調整と、を停止する。
【００６１】
なお、受信局２の受信エラー集計部２２ｅあるいは受信波長調整部２２ｂと、送信局１の送信波長調整部１２の間の情報の授受に関しては、主たる通信の媒体である光ファイバ３を介して行ってもよいし、別の通信回路が使用されてもよい。
【００６２】
次に、本実施形態の動作について説明する。
【００６３】
まず、波長多重光伝送システムのインストール時の動作を説明する。
【００６４】
本実施形態では、光送信部１１ａ１〜１１ａｎから出力されるｎ個のキャリア（光信号）波長（λ１〜λｎ）が、受信局２で受信信号のエラーレートが監視されながら順に決められていく。
【００６５】
まず、送信局１では、最初の波長λ１（光送信部１１ａ１に設定される波長λ１）が、送信波長調整部１２によって、ＷＤＭ帯域の最短波あるいは最長波に設定される。同時に、受信局２では、受信波長調整部２２ｂによって、可変波長フィルタ２２ｃ１の中心波長が波長λ１と同じ波長に設定される。
【００６６】
次に、波長λ１と異なる波長λ２が、送信波長調整部１２によって光送信部１１ａ２に初期設定され、また、波長λ２が受信波長調整部２２ｂによって可変波長フィルタ２２ｃ２に初期設定される。
【００６７】
続いて、送信波長調整部１２と受信波長調整部２２ｂは、同期を取りながら、光送信部１１ａ２および可変波長フィルタ２２ｃ２に設定された波長λ２を徐々に波長λ１に近づける。その間、常に、波長λ１と波長λ２のそれぞれに対応する光受信部２２ｄ１および２２ｄ２で検出された受信エラーレートは、受信エラー判定部２２ｅによって収集される。
【００６８】
受信エラー判定部２２ｅには、予め要求される伝送品質を基に決めた閾値が、波長λ（さらに言えば、光受信部）ごとに設定されている。
【００６９】
波長調整中に受信エラーレートが閾値を越えると、受信エラー判定部２２ｅは、送信波長調整部１２と受信波長調整部２２ｂにフラグをあげて、波長λ１と波長λ２の波長間隔が限界に達したことを知らせる。
【００７０】
送信波長調整部１２と受信波長調整部２２ｂは、フラグを受けると、波長λ２の波長調整を停止し、波長λ２を確定する。同様の過程を波長λｎまでｎ−１回繰り返し、全ての波長配置を確定させる。
【００７１】
波長増減設時の動作も基本は変わらない。
【００７２】
なお、波長減設時は、抜けた波長の帯域に隣接使用波長を移動して、順次波長を詰めていってもよい。
【００７３】
波長増設時は、増設される波長が、使用されていない波長に設定され、その後はインストール時と同じ過程を経て波長配置が確定する。
【００７４】
次に、本実施形態の作用効果を説明する。
【００７５】
本実施形態の波長多重光伝送システムは、送信局１が、複数の異なる信号を異なる波長のキャリア（光信号）に乗せて波長多重した後、波長多重光を、媒体の光ファイバ３を通して受信局２に伝送するシステムであって、受信局２で検出した各種情報を元に各光信号の波長を調整して自動的に最も信号収容効率が高い波長配置を実現するものである。
【００７６】
本実施形態では、受信局２が伝送エラーレートを監視している状況で、送信局１は、光送信部１１ａのキャリア波長を隣接信号のキャリア波長に徐々に近づけて行く。
【００７７】
受信局２は、分波部に可変波長フィルタを用いて、可変波長フィルタの中心透過波長を送信キャリア波長の変化に追随して変えていく。
【００７８】
伝送エラーレートがあらかじめ設定しておいた閾値を超えたことを感知すると、波長調整給の送信局１の光送信部と波長調整中の受信局２の可変波長フィルタに、波長調整停止信号であるフラグが送られ、送信波長が確定する。
【００７９】
上記波長確定動作が、ＷＤＭの最短波側あるいは最長波側から順に、波長多重される光信号のすべてについて行う。以上によって自動的に収容効率を最大化する波長配置が選択される。
【００８０】
本実施形態による第一の効果は、波長収容効率の最大化である。隣接波長間隔を、伝送品質を保つ範囲内で信号の光スペクトル幅等に応じて最も近づけることが可能なため、限りあるＷＤＭ帯域内に最大の波長数を収容可能である。
【００８１】
第二の効果は、運用性の向上である。波長配置が、伝送される信号のビットレートや変調方式、非線形効果の強さ等の伝送路の状況に応じて、最適の間隔に自動的にフレキシブルに設定されるため、手動で波長変更をする手間を省力化できる。
【００８２】
図２は、本実施形態を用いて波長間隔が設定された例を示した図である。図２に示したように、実際のＷＤＭ伝送において、光信号間での干渉が生じない範囲で光信号の高密度化を図ることが可能になる。
【００８３】
本実施形態によれば、送信部１１は、送信波長調整部１２にて波長間隔が変更されていく複数の光信号を多重化して波長多重光を生成し、その波長多重光を送信する。
【００８４】
設定部２２は、光増幅部２１にて受信された波長多重光内の光信号間の干渉の度合いが予め定められた閾値を超えたか否かの検出を行い、複数の光信号の波長の間隔を、送信波長調整部１２にて変更されていった波長間隔のうち、検出の結果が変化したときに送信波長調整部１２が設定していた波長間隔に設定する。
【００８５】
このため、実際の干渉の具合を監視しながら波長間隔に設定することにより、光信号間での干渉が生じない範囲で光信号の高密度化を図ることが可能になる。
【００８６】
また、本実施形態では、設定部２２は、波長多重光に含まれる光信号ごとの伝送エラーレートを、干渉の度合いとして検出し、光信号ごとの伝送エラーレートが高いほど干渉の度合いが高いと判定する。この場合、伝送エラーレートを干渉の度合いとして用いることが可能になる。
【００８７】
（第２実施形態）
図３は、本発明の第２実施形態の波長多重光伝送システムを示したブロック図である。なお、図３において、図１に示したものと同一のものには同一符号を付してある。
【００８８】
図３に示した波長多重光伝送システムは、図１に示した波長多重光伝送システムと比べて、受信エラー判定部２２ｅの代わりに波長干渉検出部２２ｆを有し、光分波部２２ａの代わりに光分波部２２ａＡを有している。
【００８９】
光分波部２２ａＡは、波長多重光をｎ＋１個に分岐する。
【００９０】
波長干渉検出部２２ｆは、可変波長フィルタ２２ｃ１〜２２ｃｎには出力されない波長多重光を受信する。
【００９１】
波長干渉検出部２２ｆは、波長多重光のスペクトルを監視する。波長干渉検出部２２ｆは、波長多重光のスペクトルの間隔を、干渉の度合いとして検出し、スペクトルの間隔が狭いほど干渉の度合いが高いと判定する。
【００９２】
波長干渉検出部２２ｆは、波長多重光のスペクトルの間隔が予め定められた閾値より狭くなったか否かを検出する。波長干渉検出部２２ｆは、波長多重光のスペクトルの間隔が予め定められた閾値より狭くなると、図１に示した受信エラー判定部２２ｅが閾値以上のエラーを検出した場合と同様に送信波長調整部１２と受信波長調整部２２ｂにフラグをあげて、波長λ１と波長λ２の波長間隔が限界に達したことを知らせる。その他のプロセスは図１に示した第１実施形態と同様である。
【００９３】
本実施形態によれば、設定部２２Ａは、波長多重光のスペクトルの間隔を、干渉の度合いとして検出し、スペクトルの間隔が狭いほど干渉の度合いが高いと判定する。この場合、波長多重光のスペクトルの間隔を干渉の度合いとして用いることが可能になる。
【００９４】
（第３実施形態）
図４は、本発明の第３実施形態の波長多重光伝送システムを示したブロック図である。
なお、図４において、図１に示したものと同一のものには同一符号を付してある。
【００９５】
図４に示した波長多重光伝送システムは、図１に示した波長多重光伝送システムと比べて、光分波部２２ａと可変波長フィルタ２２ｃ１〜２２ｃｎの代わりに波長選択スイッチ２２ｇが使用される。全体の動作は、図１に示した第１実施形態とほぼ同様であり、光分波部２２ａと可変波長フィルタ２２ｃ１〜２２ｃｎとを用いた波長選択動作の代わりに、波長選択スイッチ２２ｇを用いた波長選択動作が行われる点が異なる。
【００９６】
（第４実施形態）
図５は、本発明の第４実施形態の波長多重光伝送システムを示したブロック図である。
なお、図５において、図３に示したものと同一のものには同一符号を付してある。
【００９７】
図５に示した波長多重光伝送システムは、図３に示した波長多重光伝送システムと比べて、光分波部２２ａと可変波長フィルタ２２ｃ１〜２２ｃｎの代わりに波長選択スイッチ２２ｇが使用され、光増幅部２１の出力を波長選択スイッチ２２ｇと波長干渉検出部２２ｆに分岐する光カプラ２２ｈが追加されている。全体の動作は、図３に示した第２実施形態とほぼ同様であり、光分波部２２ａと可変波長フィルタ２２ｃ１〜２２ｃｎとを用いた波長選択動作の代わりに、波長選択スイッチ２２ｇを用いた波長選択動作が行われる点が異なる。
【００９８】
以上説明した各実施形態において、図示した構成は単なる一例であって、本発明はそれに限定されるものではない。
【符号の説明】
【００９９】
１      送信局
１１    送信部
１１ａ１〜１１ａｎ  光送信部
１１ｂ  光合波部
１１ｃ  光増幅部
１２    送信波長調整部
２      受信局
２１    光増幅部
２２    設定部
２２ａ、２２ａＡ  光分波部
２２ｂ  受信波長調整部
２２ｃ１〜２２ｃｎ  可変波長フィルタ
２２ｄ１〜２２ｄｎ  光受信部
２２ｅ  受信エラー判定部
２２ｆ  波長干渉検出部
２２ｇ  波長選択スイッチ
２２ｈ  光カプラ
【図１】
2012023607.tif 000003
【図２】
2012023607.tif 000004
【図３】
2012023607.tif 000005
【図４】
2012023607.tif 000006
【図５】
2012023607.tif 000007
【図６】
2012023607.tif 000008
【図７】
2012023607.tif 000009